(57)【要約】【課題】  強度と美観を確保しつつ材料コスト及び製作コストの低減により、大幅なコストダウンを図るとともに、木やプラスチック等の個々の材質の弱点を排除した框扉等を得る。【解決手段】  合成材２に他の組付部材（合成材を含む）３を結合して組立てた合成材の組立体１を構成するに際して、合成材２に、少なくとも木素材とプラスチック素材を含む材質により形成され、かつ内部に一又は二以上の中空部Ｓ…を有する断面を枠形状に成形された合成材を用いるとともに、中空部Ｓ…に、補強プレート材５を収容し、合成材２の外部に配した組付部材３と補強プレート材５をネジ止めすることにより、合成材２と組付部材３を結合する。【選択図】  図１
2005083038.tif 000002
【特許請求の範囲】
【請求項１】
合成材に他の組付部材（合成材を含む）を結合して組立てた合成材の組立体において、少なくとも木素材とプラスチック素材を含む材質により、内部に一又は二以上の中空部を有する断面を枠形状に成形された合成材を用いるとともに、前記中空部に、補強プレート材を収容し、前記合成材の外部に配した前記組付部材と前記補強プレート材をネジ止めすることにより、前記合成材と前記組付部材を結合してなることを特徴とする合成材の組立体。
【請求項２】
前記補強プレート材は、前記中空部の内面に沿って折曲したリブ片を有することを特徴とする請求項１記載の合成材の組立体。
【請求項３】
前記合成材は、所定量の廃木材と所定量の廃プラスチックを原料とするリサイクル合成木材であることを特徴とする請求項１記載の合成材の組立体。
【請求項４】
前記合成材は、框扉や門扉等に用いるフレーム材であることを特徴とする請求項１又は３記載の合成材の組立体。
【発明の詳細な説明】
【技術分野】
【０００１】
本発明は、合成材に他の組付部材を結合して組立てた合成材の組立体に関する。
【背景技術】
【０００２】
一般に、框扉や門扉等のようにフレーム材同士を結合した組立体を製作する場合、特に強度と美観が求められる。
【０００３】
このため、従来では、例えば、特開平６−５８０５６号公報で開示されるように、表面が仕上処理された木質部材によってそれぞれ形成した左右一対の縦框および上下一対の横框を框組みして建具の外枠部を形成し、この外枠部の各コーナ部に、縦框および横框の板厚差による段差を有する面落ち部をそれぞれ形出するとともに、両縦框に、金具類を取付けるための切欠き部をそれぞれ形成した構造、或いは特開２００１−３２９６４９号公報で開示されるように、化粧層，中間層，芯層，中間層，化粧層の５層構造とするとともに、ドア取付側のパネル木口面の芯層にドアー吊り元金具取付用の補強部材を固定部材で固定したパネルを製作し、パネル軽量化によりドアーに対する耐加重を確保するとともに、固定部材の突起部分を中間層に吸収して美観を損なうことがないようにした構造が知られている。
【特許文献１】特開平６−５８０５６号公報
【特許文献２】特開２００１−３２９６４９号公報
【発明の開示】
【発明が解決しようとする課題】
【０００４】
しかし、上述した背景技術に係る構造をはじめ従来における框扉や門扉等のようなフレーム材同士を結合した組立体は、次のような問題点があった。
【０００５】
第一に、フレーム材となる框やパネルの構造或いは結合部分の構造が複雑になるため、材料コスト及び製作コストが高くなり、全体のコストアップを招く。
【０００６】
第二に、フレーム材となる框やパネルの材質には、主に木やプラスチック又は金属パネルが用いられるが、これらの材質の弱点、例えば、木の場合は、傷付易く防水性に難があるとともに、プラスチック又は金属パネルに化粧シートを貼った場合は、木の温もりや質感を得れないなどの弱点がそのまま組立体の弱点として現れてしまう。
【０００７】
本発明は、このような背景技術に存在する課題を解決したものであり、強度と美観を確保しつつ材料コスト及び製作コストの低減により、大幅なコストダウンを図ることができるとともに、木やプラスチック等の個々の材質の弱点を排除した框扉等の組立体を得ることができる合成材の組立体の提供を目的とする。
【課題を解決するための手段】
【０００８】
本発明は、合成材２に他の組付部材（合成材を含む）３を結合して組立てた合成材２の組立体１を構成するに際して、少なくとも木素材とプラスチック素材を含む材質により、内部に一又は二以上の中空部Ｓ…を有する断面を枠形状に成形された合成材２を用いるとともに、中空部Ｓ…に、補強プレート材５を収容し、合成材２の外部に配した組付部材３と補強プレート材５をネジ止めすることにより、合成材２と組付部材３を結合してなることを特徴とする。
【発明の効果】
【０００９】
これにより、本発明に係る合成材２の組立体１によれば、次のような顕著な効果を奏する。
【００１０】
（１）  合成材２の構造及び結合部分の構造を単純化できるため、強度と美観を確保しつつ材料コスト及び製作コストを低減することにより、大幅なコストダウンを図ることができる。
【００１１】
（２）  木素材とプラスチック素材を含む材質により成形された合成材２を使用するため、木やプラスチック又は金属パネルの個々の材質の弱点を排除した框扉等の組立体１を容易に得ることができる。
【発明を実施するための最良の形態】
【００１２】
本発明に係る合成材２の組立体１によれば、最良の形態により、補強プレート材５には、中空部Ｓの内面に沿って折曲したリブ片５ａ，５ｂを設ける。これにより、より補強効果（強度）を高めることができる。また、合成材２には、所定量の廃木材と所定量の廃プラスチックを原料とするリサイクル合成木材を用いる。これにより、資源の再利用に貢献できるとともに、組立体１自身も更なるリサイクルが可能になる。なお、合成材２を、框扉Ｄや門扉等に用いるフレーム材Ｆに適用すれば、強度と美観が確保される最適な組立体１を得ることができる。
【実施例】
【００１３】
次に、本発明に係る好適な実施例を挙げ、図面に基づき詳細に説明する。
【００１４】
なお、実施例は、組立体１の一例として框扉Ｄ（図５）を示す。この場合、組立体１は、框扉Ｄの全体を指すものではなく、少なくとも一つの合成材２と他の一つの組付部材（合成材を含む）３の二部材の結合体を単位として指すものである。
【００１５】
まず、本実施例に係る框扉Ｄに用いる基本的な部品（部材）について、図１〜図５を参照して説明する。
【００１６】
２は合成材であり、所定量の廃木材と所定量の廃プラスチックを原料とするリサイクル合成木材を用いる。このようなリサイクル合成木材としては、ミサワホーム株式会社製「Ｍ−Ｗｏｏｄ２（商品名）」が最適である。このリサイクル合成木材は、廃木材５５〔％〕及び廃プラスチック（ポリプロピレン等）４５〔％〕を原料とし、それぞれを約２００〔ミクロンメートル〕程度に微粒子化して溶融するとともに、金型により押出成形したものである。このようなリサイクル合成木材を利用することにより、資源の再利用に貢献できるとともに、組立体１自身も更なるリサイクルが可能になる。また、廃木材を含むため、見た目や触った感触は、天然木とほとんど変わらない温もりや質感を得ることができるとともに、廃プラスチックを含むため、防水性，耐久性及び耐食性に優れ、しかも傷付きにくく虫に食われないなどの利点がある。
【００１７】
そして、このような合成材２を利用して框扉Ｄに用いるフレーム材Ｆを製作する。実施例のフレーム材Ｆは、図４に示すように、全体の外郭形状を、一定の厚さを有する一枚の木板材（無垢材）に似せて形成するとともに、内部には幅方向に並んだ三つの中空部Ｓ…を設けることにより断面を枠形状に成形する。したがって、フレーム材Ｆの内部には所定の厚さを有する二つの仕切壁部Ｈ…を有し、断面が正方形又は長方形となる中空部Ｓ…が、フレーム材Ｆの長手方向に設けられる。このようなフレーム材Ｆを必要な長さに切断すれば、図５に示す框扉Ｄにおける左右の縦框Ｆｐ，Ｆｑと上下の横框Ｆｕ，Ｆｄを容易に得ることができる。
【００１８】
また、５は、補強プレート材である。この補強プレート材５は、スチール，ステンレス，アルミニウム等の金属素材を用いて形成した細長いプレートであり、幅方向両側には直角に折曲し、かつ中空部Ｓの内面に沿うリブ片５ａ，５ｂを設ける。これにより、図４に示す断面がコの字形の補強プレート材５となる。この補強プレート材５は、上述した合成材２（フレーム材Ｆ）の中空部Ｓに収容して用いるため、補強プレート材５の各部の寸法は、中空部Ｓの内面寸法を考慮して選定する。
【００１９】
さらに、５ｓは、取付補助金具であり、この取付補助金具５ｓは、スチール，ステンレス，アルミニウム等の金属素材により形成した短冊状のプレートにおける長手方向の両側を直角に折曲し、一の中空部Ｓと他の中空部Ｓの内面に沿う係合片５ｓａ，５ｓｂを設ける。なお、この取付補助金具５ｓも、合成材２（フレーム材Ｆ）の中空部Ｓ…に収容し、かつ中空部Ｓ…の内面に沿う折曲したリブ片となる係合片５ｓａ，５ｓｂを有するため、上述した補強プレート材５と同じ補強プレート材に含まれる。
【００２０】
次に、本実施例に係る組立体１を含む框扉Ｄの製造方法について、図１〜図５を参照して説明する。
【００２１】
框扉Ｄを製造するに際しては、上述した左右の縦框Ｆｐ，Ｆｑと上下の横框Ｆｕ，Ｆｄを用意する。そして、左右の縦框Ｆｐ，Ｆｑの上端部間に、上側の横框Ｆｕを結合するとともに、左右の縦框Ｆｐ，Ｆｑの下端部間に、下側の横框Ｆｄを結合する。
【００２２】
以下、右側の縦框Ｆｑの上端部と上側の横框Ｆｕの一端部を結合する場合について、具体的に説明する。まず、右側の縦框Ｆｑの上端部における内側外面Ｆｑｉには、上下方向に三つの挿通孔１１，１２，１３を所定間隔おきに形成する。なお、三つの挿通孔１１，１２，１３のうち、真ん中の挿通孔１２には、後述する補強シャフト３３が挿通するとともに、挿通孔１２の両側に位置する二つの挿通孔１１，１３には、後述するネジ２４，２５がそれぞれ挿通する。
【００２３】
また、補強プレート材５と取付補助金具５ｓを用意する。この場合、補強プレート材５は、縦框Ｆｑの中空部Ｓに収容し、横框Ｆｕを結合する内側外面Ｆｑｉの裏面に重ねるため、上述した挿通孔１１，１３に対応するネジ孔１５，１７を設けるとともに、挿通孔１２に対応する挿通孔１６を設ける。なお、補強プレート材５の長さは、縦框Ｆｑ全体の補強を図れるように、縦框Ｆｑの長さに一致させてもよいし、結合部位のみの補強を図るために、ネジ孔１５，１７及び挿通孔１６を形成する部位の長さのみを確保してもよい。一方、取付補助金具５ｓには、上述した挿通孔１１，１２，１３に対応する挿通孔１８，１９，２０を設けるとともに、上側の係合片５ｓａに、二つのネジ孔２１，２２を設け、かつ下側の係合片５ｓｂに、一つのネジ孔２３を設ける。
【００２４】
そして、組付ける際には、縦框Ｆｑにおける内側外面Ｆｑｉの裏面が臨む中空部Ｓに、補強プレート材５を収容するとともに、取付補助金具５ｓを内側外面Ｆｑｉに当て、この状態で、図１に示すように、二本の固定ネジ２４，２５により固定し、一体化する。即ち、固定ネジ２４は、挿通孔１８，１１を通した後、ネジ孔１５に螺着し、固定ネジ２５は、挿通孔２０，１３を通した後、ネジ孔１７に螺着する。
【００２５】
次いで、横框Ｆｕの一端部を取付補助金具５ｓに装着する。この場合、取付補助金具５ｓは、横框Ｆｕの一端部に収容されるため、横框Ｆｕの一端部における上面Ｆｕｕには、上述したネジ孔２１，２２に対応する挿通孔２６，２７を設け、かつ横框Ｆｕの一端部における下面Ｆｕｄには、上述したネジ孔２３に対応する挿通孔２８を設けるとともに、横框Ｆｕの一端部における仕切壁部Ｈ…は、取付補助金具５ｓを収容できる分だけ切削する。これにより、取付補助金具５ｓが横框Ｆｕの一端部に収容された際には、取付補助金具５ｓにおける上側の係合片５ｓａが、横框Ｆｕの上面Ｆｕｕの内面に重なり、かつ下側の係合片５ｓｂが、横框Ｆｕの下面の内面に重なるため、図１に示すように、三本の固定ネジ２９，３０，３１を用いて、取付補助金具５ｓと横框Ｆｕの一端部を固定する。即ち、二本の固定ネジ２９，３０は、挿通孔２６，２７を通した後、ネジ孔２１，２２にそれぞれ螺着し、一本の固定ネジ３１は、挿通孔２８を通した後、ネジ孔２３に螺着する。
【００２６】
さらに、横框Ｆｕよりも長い一本の補強シャフト３３を用意する。この場合、補強シャフト３３の両端部には、ネジ部３４，３５がそれぞれ形成されている。そして、この補強シャフト３３は、横框Ｆｕにおける真ん中の中空部Ｓに挿通させ、かつ一方のネジ部３４を、挿通孔１９，１２及び１６に挿入することにより、縦框Ｆｑの中空部Ｓに臨ませ、この中空部Ｓの中からネジ部３４に締付ナット３６を螺着する。
【００２７】
以上、右側の縦框Ｆｑと上側の横框Ｆｕの一端部を結合する場合について説明したが、左側の縦框Ｆｐと上側の横框Ｆｕの他端部を結合する場合も、左右対称となる点を除いて同一の構造により結合する。また、縦框ＦｐとＦｑ間に、下側の横框Ｆｄを結合する場合にも、上側の横框Ｆｕの場合と同様に結合することができる。これにより、図５に示す扉枠Ｄｆを製作することができ、この扉枠Ｄｆに扉ガラスＷを組付けることにより、基本部分の框扉Ｄを得ることができる。
【００２８】
ところで、このような框扉Ｄでは、右側の縦框Ｆｑを一つの合成材２とし、上側の横框Ｆｕを他の一つの組付部材３とすれば、合成材２に他の組付部材３を結合した組立体１が構成されることになる。他方、左側の縦框Ｆｐを一つの合成材２とし、上側の横框Ｆｕを他の一つの組付部材３としても同様の組立体１が得られることになる。さらに、図３に示すように、縦框Ｆｐ（合成材２）にドアハンドル３８を取付ける場合にも、このドアハンドル３８を他の組付部材３として、本発明に係る組立体１を構成できる。この場合、図３に示すように、補強プレート材５を、縦框Ｆｐにおける真ん中の中空部Ｓに収容し、補強プレート材５に螺着する固定ネジ３９…を用いてドアハンドル３８を縦框Ｆｐの前面Ｆｐｆに固定することができる。このように、ドアハンドル３８の組付けに際しても本発明に係る組立体１の構成を用いることにより、ドアハンドル３８の取付強度を飛躍的に高めることができる。なお、図５において、４１は、鍵部を示すが、この鍵部４１も、ドアハンドル３８と同様に、補強プレート材５を利用して組付けることができる。
【００２９】
以上、実施例について詳細に説明したが、本発明は、このような実施例に限定されるものではなく、細部の構成，形状，素材，数量，数値等において、本発明の要旨を逸脱しない範囲で、任意に変更，追加，削除することができる。
【００３０】
例えば、補強プレート材５は、中空部Ｓ…の内面に沿って折曲したリブ片５ａ，５ｂを有するため、リブ片５ａ，５ｂが無い場合に比べて、より補強効果（強度）を高めることができるが、このリブ片５ａ，５ｂは、一方のみに設けることにより、補強プレート材５の断面をＬ形に形成してもよいし、両方とも設けない場合を排除するものではない。また、合成材２として、所定量の廃木材と所定量の廃プラスチックを原料とするリサイクル合成木材を例示したが、木材とプラスチックを原料とする同様の合成木材であってもよい。さらに、合成材２を、框扉Ｄや門扉等に用いるフレーム材Ｆに適用すれば、強度と美観が確保される最適な組立体１を得れるが、その他、ベンチ，デスク，衝立等の組立体１を含む同様の用途に利用できる。
【図面の簡単な説明】
【００３１】
【図１】本発明の好適な実施例に係る組立体の一部拡大図を含む一部断面正面構成図、
【図２】同組立体の一部断面平面構成図、
【図３】本発明の他の実施例に係る組立体の一部断面平面構成図、
【図４】図１に示す実施例の組立体に用いる部品の斜視図、
【図５】同組立体を用いた框扉の正面図、
【符号の説明】
【００３２】
１      組立体
２      合成材
３      組付部材
５      補強プレート材
５ａ…  リブ片
Ｓ…    中空部
Ｄ      框扉
Ｆ      フレーム材
【図１】
2005083038.tif 000003
【図２】
2005083038.tif 000004
【図３】
2005083038.tif 000005
【図４】
2005083038.tif 000006
【図５】
2005083038.tif 000007